(57)【要約】【課題】移動体側で動態設定器を設けることなく、無線移動通信システムの既存機能を効率的に利用して、移動体管理者（端末操作者）の稼働状況を伝送することを目的とする。【解決手段】メッセージを移動端末１１１からの位置管理卓１７０へ伝達する経路を設け、移動端末１１１から位置管理卓１７０へのメッセージは、少くとも移動端末１１１の稼働状況を表すメッセージであり、移動端末１１１には、移動端末の稼働状況を表すメッセージを選択する手段を具備し、位置管理卓１７０は、伝送された移動端末１１１の稼働状況を表すメッセージを、移動端末１１１の位置情報と共に表示するようにしたものである。【選択図】  図１
2004289347.tif 000002
【特許請求の範囲】
【請求項１】
制御局と、該制御局と有線回線を介して接続される基地局と、該基地局と無線回線を介して接続される移動端末で構成され、
該移動端末には、自己の位置情報が識別可能な位置情報発生手段が接続され、
前記制御局には、前記移動端末の位置情報が表示される位置管理卓と、前記移動端末と音声通信を行う指令卓とが接続され、
該指令卓と前記移動端末との間でメッセージを通信する手段を有する無線移動通信システムにおいて、
前記メッセージを前記移動端末からの前記位置管理卓へ伝達する経路を設け、
前記移動端末から前記位置管理卓へのメッセージは、少なくとも前記移動端末の稼働状況を表すメッセージであり、
前記移動端末には、前記移動端末の稼働状況を表す前記メッセージを選択する手段を具備し、
前記位置管理卓は、伝送された前記移動端末の稼働状況を表すメッセージを、前記移動端末の位置情報と共に表示することを特徴とする無線移動通信システム。
【発明の詳細な説明】
【０００１】
【発明の属する技術分野】
本発明は、移動端末を含むデジタル無線移動通信システムに係り、特に、移動端末側の稼働状況把握に関するものである。
【０００２】
【従来の技術】
無線通信技術の発展とともに、電波を利用した測位技術は大幅に発展し、今日では人工衛星を利用した測位システムであるＧＰＳ（Ｇｌｏｂａｌ  Ｐｏｓｉｔｉｏｎｉｎｇ  Ｓｙｓｔｅｍ）により、全世界においてＧＰＳ受信機単体で誤差１０ｍ程度の精度で位置情報を得る事ができるようになった。このＧＰＳ技術は、主にカーナビゲーションや船舶・航空機の航法、また測量などに利用されている。また近年、携帯電話などに代表される無線移動通信システムの発展により、手軽に広域エリアを対象とした移動体データ通信を行うことが可能となっている。これら測位技術と無線移動通信システムが融合して、移動体の位置管理システムが実用化され、公衆用無線や業務用無線を通じて、宅配車両やタクシーなどの配車効率向上などを目的に利用されている。さらに、一般的に業務用途の位置管理システムにおいては、移動体の位置情報に付随して、移動体管理者（端末操作者）の状態をも伝送することにより、一層の効率向上が図れる事が知られている。
【０００３】
以下、従来の業務用途の位置管理システムの一例について、図２を用いて説明する。
【０００４】
まず、図２を用いて、従来の業務用無線移動通信システムにおける通常運用中の動作について説明する。本図において、２１０および２１１は無線移動端末局（以下、移動端末と称する）を、２２０および２２１は無線基地局を表す。一般的に無線基地局には、電波を利用して移動端末と双方向の通信を行うと共に、有限資源である電波の管理を行う機能を有する。しかし無線基地局からの電波が届く範囲（以下、基地ゾーンと称する）は限定されている。図２において、基地ゾーン２３０、２３１はそれぞれ無線基地局２２０、２２１からの電波が届く範囲である。移動端末２１０、２１１はそれぞれ無線基地局２２０、２２１の管理下にあるものとする。また、２４０は無線移動通信システムの制御局を表し、無線基地局２２０、２２１と制御局２４０とは有線回線で接続されている。無線基地局が複数存在する場合、制御局２４０はこれらの無線基地局を総括的に管理するための機能を有する。
【０００５】
更に２５０は司令センタを表し、司令センタ２５０内の指令卓２６０は制御局２４０内の指令卓インタフェース２４１と、司令センタ２５０内の位置管理卓２７０は制御局２４０内のデータ伝送インタフェース２４２と接続される。
【０００６】
指令卓２６０は、信号処理装置２６１、音声入出力装置２６２、表示装置２６３から構成される。また、位置管理卓２７０は、信号処理装置２７１および表示装置２７２から構成される。
【０００７】
上述の構成により、司令センタ２５０および各移動端末（図２の例では２１０および２１１）間での通信が可能となっており、業務遂行のため運用される。
【０００８】
次に上記無線移動通信システムにおける音声系の通信について、移動端末２１０からの音声が、指令卓２６０に伝送される様子を説明する。
【０００９】
まず、移動端末２１０に入力された音声は、無線回線を通じて伝達され、基地局２２０に入力される。音声信号は、無線基地局２２０から有線回線を通じて伝達されて制御局２４０に入力される。制御局２４０に入力された音声信号は、指令卓インタフェース２４１から指令卓２６０内の信号処理装置２６１を介して、音声入出力装置２６２から音声として出力される。これと同時に、表示装置２６３では、現在移動端末２１０と通信中である事がわかるように、その部分が点滅などして操作者に知らせる（表示装置２６３の詳細については後述）。
【００１０】
以上の例では、移動端末２１０が発呼する様子を示したが、移動端末２１１からの発呼や指令卓２６０からの発呼においても、同様の方法で音声が伝送される。
【００１１】
次に上記無線移動通信システムにおける非音声系の通信、すなわちデータ伝送について、移動端末２１１を搭載する車両の現在位置および稼働状況などの状態情報が、位置管理卓２７０に伝送される様子を説明する。
【００１２】
まず、衛星からの測位信号をＧＰＳアンテナ２１４で受信し、ＧＰＳ受信装置２１３で現在位置の緯度／経度／高度および移動速度や方向などの位置情報を算出する。その位置情報は、信号処理装置２１２に伝送され、動態設定器２１５により設定された稼働状況などと共に、移動端末２１１に入力される。移動端末２１１に入力された車両の状態情報は、無線回線を通じて伝達され、無線基地局２２１に入力される。無線基地局２２１からは、有線回線を通じて伝達されて制御局２４０に入力される。制御局２４０に入力された車両の状態情報は、データ伝送インタフェース２４２から位置管理卓２７０内の信号処理装置２７１を介して、表示装置２７２上に表示される。
【００１３】
以上のように、車両の現在位置および稼働状況などの状態情報が、移動端末２１０から位置管理卓２７０へ伝送される。
【００１４】
【発明が解決しようとする課題】
上述の従来技術では、非音声通信として、位置情報と稼働状況の伝送を一回で行えるが、移動体の位置情報に付随して、移動体管理者（端末操作者）の状態をも伝送する場合に、移動体側の機器構成（ハードウェア）が多数になってしまう、すなわち端末操作者から見た場合、無線移動端末局の操作に加えて、動態設定器の操作も必要となってしまい、操作が煩わしくなるという欠点がある。
【００１５】
加えて、業務用途の位置管理システムといっても、移動体管理者（端末操作者）の稼働状況を把握するには、〔稼働している〕或いは〔食事などで休止している〕の二通り程度があれば必要十分であり、そのためにハードウェアを追加することは好ましくない。
【００１６】
そこで本発明では、移動体側で動態設定器を設けることなく、無線移動通信システムの既存機能を効率的に利用して、移動体管理者（端末操作者）の稼働状況を伝送することを目的とする。
【００１７】
【課題を解決するための手段】
上記目的を達成するため、本発明の無線移動通信システムは、メッセージを移動端末からの位置管理卓へ伝達する経路を設け、移動端末から位置管理卓へのメッセージは、少なくとも移動端末の稼働状況を表すメッセージであり、移動端末には、移動端末の稼働状況を表すメッセージを選択する手段を具備し、位置管理卓は、伝送された移動端末の稼働状況を表すメッセージを、移動端末の位置情報と共に表示するようにしたものである。
【００１８】
【発明の実施の形態】
本発明の一実施例である無線移動通信システムについて説明する前に、本発明に関連する基本的事項について説明する。
【００１９】
近年の無線移動通信システムでは、コミュニケーションを取るための基本的な音声通信機能と、静止画像や動画像を伝送する非音声通信機能の他に、簡易的な定型メッセージの伝送を可能とするショートメッセージ通信機能がある。ショートメッセージ通信機能は、音声通信と非音声通信の中間として位置付けられ、例えば相手が不在の場合でも、効率的にコミュニケーションが取れるようにすることを目的としたものである。特に業務用移動通信システムにおいては、「連絡せよ」「待機せよ」「グループＡに変更せよ」「グループＢに変更せよ」などの簡易的な定型メッセージを、主に指令センタ→移動端末方向（以下、下り方向と称する）で伝送するものである。この様子を図２を用いて説明する。
【００２０】
まず、司令センタ２５０内の指令卓２６０から、音声通信で移動端末２１０に呼びかけたが、移動端末２１０の管理者（端末操作者）が車両を離れているなどで不在の場合、両者のコミュニケーションが取れない。そこで、指令卓２６０から「連絡せよ」のショートメッセージを下り方向で伝送する。この様子を更に詳しく説明する。
【００２１】
一般的に、指令卓２６０を構成する表示装置２６３は、図３のようなタッチパネル方式となっている。図中、３０１は通信相手選択部、３０２は通話開始ボタン部、３０３はショートメッセージ通信開始ボタン部である。ショートメッセージ通信開始ボタン部３０３をタッチすると画面が切替わり、ショートメッセージ内容選択部３０４が表示される。また、３０５は通信を切断する通話終了ボタン部である。
【００２２】
まず、通信相手選択部３０１から移動端末２１０を選択（タッチ）すると、その部分が点灯などして選択されたことを指令卓２６０の操作者に知らせる。そして通話開始ボタン部３０２を選択（タッチ）すると、信号処理装置２６１から回線制御装置２４０、無線基地局２２０を経て移動端末２１０が呼び出され、通話路が形成される。通話路が形成された後、指令卓２６０の操作者は、音声入出力装置２６２から音声通信で移動端末２１０との通話を開始する。しかし前述のように、移動端末２１０の管理者（端末操作者）が車両を離れているなどで両者のコミュニケーションが取れない場合、指令卓２６０の操作者は、いったんその通信を通話終了ボタン部３０５で切断する。
【００２３】
次に、先程と同様、通信相手選択部３０１から移動端末２１０を選択（タッチ）して、その部分が点灯などして選択されたことを指令卓２６０の操作者に知らせる。そして今度は、ショートメッセージ通信開始ボタン部３０３を選択（タッチ）し、ショートメッセージ内容選択画面３０４を表示させる。この画面から、「１．連絡せよ」の部分を選択（タッチ）することにより、信号処理装置２６１から回線制御装置２４０、無線基地局２２０を経て移動端末２１０の表示部に定型メッセージが表示される（この場合は「連絡せよ」）。そして移動端末２１０の管理者（端末操作者）が車両に戻ってきた時に、表示されている定型メッセージ「連絡せよ」を確認した後、指令卓２６０に対して音声通信を開始することにより、両者のコミュニケーションが取れる事となる。
【００２４】
本発明の無線移動通信システムでは、上述のように主に下り方向（指令センタ→移動端末方向）で利用していたショートメッセージ通信を、移動端末→指令センタ方向（以下、上り方向と称する）で「業務中」「休憩中」など少なくとも２種類を伝送するものである。操作方法の本質的なものは、操作を移動端末のキー操作により行う他は、上述のタッチパネル方式と同様である。すなわち、〔通信相手を選択→ショートメッセージ通信を選択→ショートメッセージ内容を選択→伝送〕の手順となる。
【００２５】
さらに、その上り方向のメッセージを、指令卓側表示装置だけでなく、位置管理卓側表示装置にも伝送して、双方の表示装置に移動体管理者（端末操作者）からのメッセージ内容を表示させるようにしたものである。
【００２６】
以上の基本的事項につづき、本発明の一実施例である無線移動通信システムについて、図１を用いて説明する。
【００２７】
本図において、１１０および１１１は移動端末を表す。移動端末１１１を搭載する車両には、位置情報の伝送のために、信号処理装置１１２およびＧＰＳ受信装置１１３およびＧＰＳアンテナ１１４が搭載される。また、１２０および１２１は無線基地局を表す。一般的に無線基地局には、電波を利用して移動端末と双方向の通信を行うと共に、有限資源である電波の管理を行う機能を有する。しかし無線基地局からの電波が届く範囲（以下、基地ゾーンと称する）は限定されている。図１において、基地ゾーン１３０、１３１はそれぞれ無線基地局１２０、１２１からの電波が届く範囲である。移動端末１１０、１１１はそれぞれ無線基地局１２０、１２１の管理下にあるものとする。また、１４０は無線移動通信システムの制御局を表し、無線基地局１２０、１２１と制御局１４０とは有線回線で接続されている。無線基地局が複数存在する場合、制御局１４０はこれらの無線基地局を総括的に管理するための機能を有する。
【００２８】
更に１５０は司令センタを表す。司令センタ１５０内には、信号処理装置１６１、音声入出力装置１６２、表示装置１６３から構成される指令卓１６０と、信号処理装置１７１および表示装置１７２から構成される位置管理卓１７０がある。
【００２９】
ここで、指令卓１６０内の信号処理装置１６１は、制御局１４０内の指令卓インタフェース１４１と接続され、位置管理卓１７０内の信号処理装置１７１は、制御局１４０内のデータ伝送インタフェース１４２と接続されるとともに、指令卓インタフェース１４１から出力される、上り方向のショートメッセージ信号のみ入力するよう接続される。
【００３０】
上述の構成により、司令センタ１５０および各移動端末（図１の例では１１０および１１１）間での通信が可能となっており、業務遂行のため運用される。
【００３１】
次に、本実施例の無線移動通信システムで、移動端末１１１を搭載する車両の現在位置および稼働状況などの状態情報が、位置管理卓１７０に伝送される詳細な様子を説明する。なお、音声系の通信については従来と同様であるので説明を省略する。
【００３２】
まず、車両の現在位置が位置管理卓１７０内の表示装置１７２上に表示される様子を説明する。衛星からの測位信号をＧＰＳアンテナ１１４で受信し、ＧＰＳ受信装置１１３で現在位置の緯度／経度／高度および移動速度や方向などの位置情報を算出する。その位置情報は、信号処理装置１１２に伝送され、移動端末１１１に入力される。移動端末１１１に入力された車両の状態情報は、無線回線を通じて伝達され、無線基地局１２１に入力される。無線基地局１２１からは、有線回線を通じて伝達されて制御局１４０に入力される。制御局１４０に入力された車両の状態情報は、データ伝送インタフェース１４２から位置管理卓１７０内の信号処理装置１７１を介して、表示装置１７２上に表示される。
【００３３】
次に、移動体管理者（端末操作者）の稼働状況が位置管理卓１７０内の表示装置１７２上に表示される様子を説明する。まず、移動端末１１１のキー操作により、通信相手として指令卓１６０を選択する（図示せず）。そして今度は、ショートメッセージ通信開始を選択し、ショートメッセージ内容選択画面１１１−２を表示させる。この画面から例えば「２．休憩中」の部分を選択することにより、「休憩中」の信号が無線回線を通じて伝達され、無線基地局１２１から回線制御装置１４０内の指令卓インタフェース１４１を経て指令卓１６０および位置管理卓１７０に分配され、信号処理装置１６１を経て表示装置１６３に伝達され、表示装置１６３に定型メッセージが表示される。更にこの信号は、信号処理装置１７１を経て表示装置１７２に伝達され、表示装置１７２にも定型メッセージが表示される。この場合、指令卓１６０内の表示装置１６３には、例えば「移動端末１１１：休憩中」などと表示される。（位置管理卓１７０内の表示装置１７２の表示については後述）
以上のように、本実施例の無線移動通信システムでは、既存機能のひとつであるショートメッセージ通信を効率的に利用して、移動体管理者（端末操作者）の稼働状況を伝送することができ、しかも図４のように、移動体の位置情報と共に同一表示装置に表示することが可能となる。
【００３４】
図４は、各移動体の現在位置および稼働状況が、位置管理卓１７０内の表示装置１７２上に表示される例を示したものである。ここでは、Ａ地区にいる移動局ｘｘｘが業務中である様子と、Ｄ地区にいる移動局１１１が休憩中である様子を示している。
【００３５】
なお本実施例では、位置情報の伝送と稼働状況の伝送を別個に行うことになるが、稼働状況の切替（本実施例では「業務中」⇔「休憩中」）については、日中の業務のなかではそれほど頻繁に行われることではなく、デフォルトの状態（初期設定）で「業務中」としておけば本質的な問題ではなく、端末操作者から見た煩わしさという面でも支障は無い。
【００３６】
【発明の効果】
以上説明したように、本発明によれば、移動体側で動態設定器を設けることなく、無線移動通信システムの既存機能を効率的に利用して、移動体管理者（端末操作者）の稼働状況伝送が可能となる。
【００３７】
その結果、司令センター側において、位置情報に加えて稼働状況を集中的に管理・把握することができることとなる。
【図面の簡単な説明】
【図１】本発明の一実施例である業務用無線移動通信システムの構成を示す図。
【図２】従来の一例である業務用無線移動通信システムの構成を示す図。
【図３】業務用無線移動通信システムにおけるタッチパネル式指令卓表示装置部を示す図。
【図４】業務用無線移動通信システムにおける位置管理卓表示装置の内容を示す図。
【符号の説明】１１０、１１１：移動端末、１１１−２：ショートメッセージ内容選択画面、１１２：信号処理装置、１１３：ＧＰＳ受信装置、１１４：ＧＰＳアンテナ、１２０、１２１：無線基地局、１３０、１３１：基地ゾーン、１４０：制御局、１４１：指令卓インタフェース、１４２：データ伝送インタフェース、１５０：司令センタ、１６０：指令卓、１６１、１７１：信号処理装置、１６２：音声入出力装置、１６３、１７２：表示装置、１７０：位置管理卓、２１０、２１１：移動端末、２１２：信号処理装置、２１３：ＧＰＳ受信装置、２１４：ＧＰＳアンテナ、２１５：動態設定器、２２０、２２１：無線基地局、２３０、２３１：基地ゾーン、２４０：制御局、２４１：指令卓インタフェース、２４２：データ伝送インタフェース、２５０：司令センタ、２６０：指令卓、２６１、２７１：信号処理装置、２６２：音声入出力装置、２６３、２７２：表示装置、２７０：位置管理卓、３０１：通信相手選択部、３０２：通話開始ボタン部、３０３：ショートメッセージ通信開始ボタン部、３０４：ショートメッセージ内容選択部、３０５：通話終了ボタン部。
【図１】
2004289347.tif 000003
【図２】
2004289347.tif 000004
【図３】
2004289347.tif 000005
【図４】
2004289347.tif 000006